(57)【要約】【課題】  複数のブレードユニットの実装密度を低減させることなく、かつ、ブレードユニットを簡易に固定可能な収納ラックを提供する。【解決手段】  収納ラック１０に、複数のブレードユニット２０を収納し、これらのブレードユニットを電気的に接続することにより、ブレードサーバとして機能させるブレードユニット収納装置であって、前記収納ラックが、前記ブレードユニットを固定する底板１１ａ及び天板１１ｄと、前記底板及び天板に設けた前記ブレードユニットを保持するガイドレール１３を有し、前記複数のブレードユニットが、配置したときの上下方向の高さが、前記収納ラックにおける前記底板及び天板間の距離とほぼ同じとなる二枚のブレードユニットを含み、かつ、これらのブレードユニットが前記ガイドレールと係合するガイド２３を有する構成としてある。【選択図】  図１
2006164040.tif 000002
【特許請求の範囲】
【請求項１】
収納ラックに、複数のブレードユニットを収納し、これらのブレードユニットを電気的に接続することにより、ブレードサーバとして機能させるブレードユニット収納装置であって、
前記収納ラックが、該収納ラックの底板及び天板にガイドレールを有し、
前記複数のブレードユニットが、
上下方向に配置したときの合計の高さが、前記収納ラックにおける前記底板及び天板間の距離とほぼ同じとなる二枚のブレードユニットを含み、
かつ、これらのブレードユニットが前記ガイドレールと係合するガイドを有する
ことを特徴とするブレードユニット収納装置。
【請求項２】
前記収納ラック内にバックプレーンを有し、
このバックプレーンが、上下方向に対をなす二個のバックプレーンコネクタを有し、
上下方向に配置収納された前記二枚のブレードユニットが、前記二個のバックプレーンコネクタのうちの一個とそれぞれ結合するブレードユニットコネクタを有する請求項１記載のブレードユニット収納装置。
【請求項３】
前記ブレードユニットとして、高さが異なる四種類以上のブレードユニットを備えた請求項1又は２記載のブレードユニット収納装置。
【請求項４】
前記上下方向に配置される前記二枚のブレードユニットの高さが、同じ高さである請求項１〜３のいずれかに記載のブレードユニット収納装置。
【請求項５】
前記上下方向に配置される前記二枚のブレードユニットの高さが、異なる高さである請求項１〜３のいずれかに記載のブレードユニット収納装置。
【請求項６】
請求項１〜５のいずれかに記載のブレードユニット収納装置を用いたことを特徴とするブレードサーバ。
【発明の詳細な説明】
【技術分野】
【０００１】
本発明は、ブレードユニットの実装スペースを無駄にせず、かつ、簡単に固定可能なブレードユニット収納装置及びこのブレードユニット収納装置を使用したブレードサーバに関する。
【背景技術】
【０００２】
従来、サーバ群全体のパフォーマンスが不足する場合、そのパフォーマンスを向上させる方法として、複数のサーバを連携して作動させるいわゆるサーバのスケールアウトが採用されている。このサーバのスケールアウトを行うと、例えば、同時に多数のユーザがサーバにアクセスしても、サーバに加わる負荷が分散され、また、サーバのメンテナンスや故障の際にも全てのサーバを停止する必要がないという利便性がある。
【０００３】
近年、ブレードサーバと呼ばれる新しいタイプのサーバが出現している。このブレードサーバは、回路基板にマイクロプロセッサ、メモリ、ハードディスクなどのコンピュータとして必要なハードウェアを内蔵したブレードユニットを複数実装したものである。したがって、ブレードサーバは、ブレードユニットをスケールアウトする際に、ユニット単位で増設ができるため、より少ない設置スペースと、より小さい消費電力によってサーバのパフォーマンスを向上させることが可能である。
【０００４】
ところで、サーバをスケールアウトする際には、複数のブレードユニットを連携して作動させるため、各サーバ間を電気的に接続する必要がある。そこで、特許文献１に示すような、各サーバの転倒を防止するとともに、省スぺースを実現することが可能なサーバ収納ラックが提供されている。
このサーバ収納ラックによれば、ブレードユニットを載置するトレーが上下二段に配置され、各トレーはラック本体に対してスライド自在であり、ブレードユニットをメンテナンスする際には、収納ラックからトレーを引出し、トレーに載置したブレードユニットを簡単に取り出すことが可能である（例えば、特許文献１参照。）。
【０００５】
【特許文献１】特開２００１−３３５１２６号公報（第１頁、第１図）
【発明の開示】
【発明が解決しようとする課題】
【０００６】
しかしながら、特許文献１に記載のものは、上下二段に独立したブレードユニット収納部を形成してあり、収納装置が大型化するとともに、同一の高さ（一種類）のブレードユニットしか収納することができない。このため、内蔵ハードウェアが少ない場合でも、決まった高さ（容積）のブレードユニットを用いなければならず、ブレードユニット内の実装密度が低下するという問題があった。
また、上記収納ラックには、サーバを載置するトレーが設けられており、このトレーにサーバを載置し、さらにサーバの収納ラックからの転倒を防止するため、トレーとサーバをベルトによって固定しなければならないという煩雑な作業が必要であった。
【０００７】
本発明は、以上のような従来の技術が有する問題を解決するために提案されたものであり、複数のブレードユニットの実装密度を低下させることなく、かつ、ブレードユニットを簡易に収納可能なブレードユニット収納装置の提供を目的とする。また、本発明のブレードユニット収納装置を使用したブレードサーバの提供を目的とする。
【課題を解決するための手段】
【０００８】
上記目的を達成するため、本発明のブレードユニット収納装置は、収納ラックに、複数のブレードユニットを収納し、これらのブレードユニットを電気的に接続することにより、ブレードサーバとして機能させるブレードユニット収納装置であって、前記収納ラックが、該収納ラックの底板及び天板にガイドレールを有し、前記複数のブレードユニットが、上下方向に配置したときの合計の高さが、前記収納ラックにおける前記底板及び天板間の距離とほぼ同じとなる二枚のブレードユニットを含み、かつ、これらのブレードユニットが前記ガイドレールと係合するガイドを有する構成としてある。
【０００９】
このような構成からなるブレードユニット収納装置によれば、ブレードユニットに内蔵されるハードウェアの量に応じた高さのブレードユニットを用いることができる。これにより、ブレードユニット内の実装密度の低下を防止することができる。
また、ブレードユニットの保持は、底板及び天板に設けたガイドレールに、ブレードユニットのガイド部を係合させるだけで行えるので、従来のようにブレードユニットとトレーを固定する煩雑な作業から開放される。
【００１０】
本発明のブレードユニット収納装置は、前記収納ラック内にバックプレーンを有し、このバックプレーンが、上下方向に対をなす二個のバックプレーンコネクタを有し、上下方向に配置収納された前記二枚のブレードユニットが、前記二個のバックプレーンコネクタのうちの一個とそれぞれ結合するブレードユニットコネクタを有する構成としてある。
このような構成からなる本発明のブレードユニット収納ラックによれば、収納ラックに保持された二枚のブレードユニットをバックプレーンにより電気的に接続することができる。これにより、上下方向に配置収納された前記二枚のブレードユニットを、個々のブレードユニットを独立したサーバとして使用することができることから、ブレードユニットを増設することにより容易にサーバのパフォーマンスを向上させることができる。
【００１１】
本発明のブレードユニット収納装置は、前記ブレードユニットとして、高さが異なる四種類以上のブレードユニットを用意した構成としてある。
すなわち、本発明のブレードユニット収納装置は、前記上下方向に配置される前記二枚のブレードユニットの高さを同じ高さとした構成のもの、また、前記上下方向に配置される前記二枚のブレードユニットの高さを、異なった高さとした構成とすることができる。
したがって、収納ラックにおける前記底板及び天板間の距離とほぼ同じ高さの、通常のブレードユニットを加え、四種類以上の高さ（容積）のブレードユニットを用意することができる。
このように、四種類以上の高さ（容積）のブレードユニットを用意することによって、ハードウェアの量に応じた高さのブレードユニットを選択して用いることできるので、ブレードユニット内の実装密度を低下させることがない。
【００１２】
本発明のブレードサーバは、前記ブレードユニット収納装置を用いた構成としてある。
このように、本発明のブレードサーバは、上記ブレードユニット収納装置を使用することができることから、簡単にブレードユニットを増設させることが可能であり、ブレードサーバのパフォーマンスを簡単に向上させることができる。また、内蔵ハードウェアの量に応じて、任意の高さ（容積）のブレードユニットを選択することができるので、実装密度を低下させることがない。
【発明の効果】
【００１３】
以上のように、本発明のブレードユニット収納装置によれば、ブレードユニットの実装密度を低下させることがなく、かつ、ブレードユニットを簡易に固定することができる。また、本発明のブレードサーバによれば、実装密度を高くし、しかも、容易にサーバのパフォーマンスを変更することができる。
【発明を実施するための最良の形態】
【００１４】
以下、本発明に係るブレードユニット収納装置の好ましい実施形態について、図１〜図５を参照しつつ説明する。
図１は、本発明のブレードユニット収納装置の概略構成図である。また、図２は収納ラックに収納されるブレードユニットの概略構成図であり、（ａ）は、底板及び天板のガイドレール間に保持される通常のブレードユニットであり、（ｂ）は、底板及び天板のガイドレール間に二枚保持されるタイプのブレードユニット（ハーフブレードユニット）である。また、図３は、収納ラックへブレードユニットを収納したときの断面図であり、（ａ）は、通常のブレードユニットを、（ｂ）は、ハーフブレードユニットを収納したときの概略断面図である。また、図４は、収納ラックへ通常のブレードユニットと、ハーフブレードユニットを並べて収納したときの要部断面図である。
【００１５】
まず、図１を参照して、本発明の実施形態に係るブレードユニット収納装置の収納ラックについて説明する。
収納ラック１０は、図１に示すように、ブレードユニット２０を実装するシャーシ１１と、ブレードユニット２０と電気的に接続されるバックプレーン１２と、ブレードユニット２０をバックプレーン１２に案内し、さらにブレードユニット２０を収納して保持するためのガイドレール１３を有している。
シャーシ１１は、底板１１ａと左右の側板１１ｂ、１１ｃと、天板１１ｄからなり、全体として筐体を形成しており、横方向に複数（図面では１０枚）のブレードユニットを収納できるようになっている。
【００１６】
バックプレーン１２は、底板１１ａと天板１１ｄに対して垂直な状態で、左右の側板１１ｂ、１１ｃに固定されている。また、バックプレーン１２には、上下方向に所定の間隔Ｌをあけて二個のバックプレーンコネクタ１４が設けてある。バックプレーンコネクタ１４は、後述するブレードユニット２０が収納ラック１０に収納されたとき、ブレードユニットコネクタ２２と電気的に接続する。この上下方向に所定の間隔Ｌをあけて設けられている二個で一セットをなすバックプレーンコネクタ１４も、横方向に複数（図面では１０セット）設けてある。
【００１７】
ガイドレール１３は、ブレードユニット２０を収納ラック１０に収納するために、底板１１ａと天板１１ｄの上下対称となる位置に対向して、複数本（図面では１０本ずつ）平行に形成されている。このガイドレール１３は、断面がＴ字状に形成されている。
【００１８】
次に、ブレードユニットについて図面を参照して説明する。
ブレードユニット２０は、図２（ａ）に示すように、ユニット本体２１とブレードユニットコネクタ２２とガイド２３から構成されている。
ユニット本体２１の内部には、回路基板に搭載されたマイクロプロセッサ、メモリ、ハードディスクなどの、サーバとして必要なハードウェアが実装されている。
ブレードユニットコネクタ２２は、ブレードユニット２０の裏面に備えられ、シャーシ１１の表側からブレードユニット２０がガイドレール１３に沿って収納されたとき、バックプレーンコネクタ１４と接合し、ブレードユニット２０とバックプレーン１２を電気的に接続する。
【００１９】
図２（ａ）に示す、通常のブレードユニット２０の場合には、バックプレーンコネクタ１４と対応して、図３（ａ）に示すように、上下方向に所定の間隔Ｌをあけて二個のブレードユニットコネクタ２２が設けてある。
【００２０】
ガイド２３は、ブレードユニット２０を収納ラック１０に収納するための案内レールであるとともに、ブレードユニット２０が収納ラック１０に収納された場合には、ガイド２３とガイドレール１３との係合により、ブレードユニット２０を収納ラック１０内に保持する。ガイド２３は、ブレードユニット２０の下面と上面に設けられ、その形状は、断面Ｔ字状のガイドレール１３に係合する断面あり溝状に形成されている。したがって、ガイドレール１３にガイド２３が係合することによって、ブレードユニット２０は外れることなく収納ラック１０内をガイドされ、かつ堅固に収納保持される。
【００２１】
収納ラック１０に収納されるブレードユニット２０として、図２（ｂ）に示すように、上下方向の高さが、通常のブレードユニット２０のほぼ半分の高さのものを用いることができる（以下、重ねて収納配置する二枚のそれぞれのブレードユニットを「ハーフブレードユニット２０ａ，２０ｂ」という。）。
このように、上下方向に重ねて収納配置する二枚のハーフブレードユニット２０ａの上下方向の合計の高さは、通常のブレードユニット２０とほぼ同じ高さとする。ハーフブレードユニット２０ａの奥行き及び幅はブレードユニット２０と同じとなっている。したがって、高さを変えることによって、容積の異なるブレードユニット２０を用意することができる。
【００２２】
二枚のブレードユニット２０ａは、バックプレーンコネクタ１４とブレードユニットコネクタ２２の接合によって、収納ラック１０に安定して収納されるが、図４に示すように、表側端面において止め具２５などで簡単に連結できるようにしておくと、収納後における二枚のブレードユニット２０ａを、より安定して固定することができる。
なお、ブレードユニット２０ａを二枚用いる場合、ガイド２３は、ハーフブレードユニット２０ａの上面又は下面のいずれか一面にのみ設ける。
【００２３】
図５は、バックプレーン１２における二個のバックプレーンコネクタ１４の間隔Ｌ´を広くするとともに、二枚のハーフブレードユニット２０ｂの上下方向の高さを異ならせた例を示し、（ａ）は、通常のブレードユニットを、（ｂ）は、ハーフブレードユニットを保持したときの概略断面図である。
この場合における、二枚のハーフブレードユニット２０ｂの高さは、それぞれの裏面に設けてあるブレードユニットコネクタ２２ｂの間隔Ｌ´が、バックプレーン１２に設けてある二個のバックプレーンコネクタ１４の間隔Ｌ´を保てる範囲内で自由に設定することができる。
例えば、図５（ｂ）における例では、上部のハーフブレードユニット２０ｂと下部のハーフブレードユニット２０ｂの高さの比率を１：２としてある。このように、上部に収納配置するハーフブレード２０ｂの方を小型にすると、収納ラック１０に収納されたハーフブレード２０ｂの安定性が増す。
【００２４】
このように、本発明によれば、上下方向の高さが異なる（容積の異なる）ブレードユニットとして、少なくとも四種類以上のものを用意することができる。したがって、ブレードユニットに内蔵するハードウェアの量に応じて、適切な高さ（容積）のブレードユニットを選択することができるので、ブレードユニット内の実装密度を低下させることがない。
【００２５】
以上説明したように、本実施形態に係るブレードユニット収納ラックによれば、複数のブレードユニットの実装密度を向上させることが可能で、かつ、ブレードユニットを簡易に固定することができる。
【００２６】
また、本発明のブレードサーバは、ブレードユニット収納ラックを用いてブレードサーバを構成してある。このようにすれば、実装密度が高く、しかも、容易にサーバのパフォーマンスを変更することができるブレードサーバを得ることができる。
【００２７】
以上、本発明について、好ましい実施形態を示して説明したが、本発明に係るブレードユニット収納ラック及びブレードサーバは、上述した実施形態にのみ限定されるものではなく、本発明の要旨の範囲で種々変更実施が可能であることはいうまでもない。
【図面の簡単な説明】
【００２８】
【図１】本発明の実施形態にかかるブレードユニット収納装置の概略構成図である。
【図２】本発明の実施形態にかかる収納ラックに収納されるブレードユニットの概略構成図であり、（ａ）は、底板及び天板のガイドレール間に保持される通常のブレードユニットであり、（ｂ）は、底板及び天板のガイドレール間に二枚保持されるタイプのブレードユニット（ハーフブレードユニット）である。
【図３】本発明の実施形態にかかる収納ラックへ、ブレードユニットを収納したときの断面図であり、（ａ）は、通常のブレードユニットを、（ｂ）は、ハーフブレードユニットを収納したときの概略断面図である。
【図４】本発明の実施形態にかかる収納ラックへ、通常のブレードユニットと、ハーフブレードユニットを並べて収納したときの要部断面図である。
【図５】本発明のバックプレーンにおける二個のバックプレーンコネクタの間隔を広くするとともに、二枚のハーフブレードユニットの上下方向の高さを異ならせた実施形態を示し、（ａ）は、通常のブレードユニットを、（ｂ）は、ハーフブレードユニットを保持したときの概略断面図である。
【符号の説明】
【００２９】
１０  収納ラック
１１  シャーシ
１２  バックプレーン
１３  ガイドレール
１４  バックプレーンコネクタ
２０，２０ａ，２０ｂ  ブレードユニット
２１  ユニット本体
２２，２２ａ，２２ｂ  ブレードユニットコネクタ
２３  ガイド
【図１】
2006164040.tif 000003
【図２】
2006164040.tif 000004
【図３】
2006164040.tif 000005
【図４】
2006164040.tif 000006
【図５】
2006164040.tif 000007